(57)【要約】【課題】【解決手段】  ピストンロッドの迅速な再設定機能を備える製品の供給装置において、  ａ）製品にて充填され且つ、そこからピストンＫによって製品を供給することのできるリザーバＲ用の第一のケーシング部分１を備えるケーシング１／２と、  ｂ）製品を供給すべくピストンＫをリザーバＲの出口Ａに向けて動かし得るように前進方向Ｖに動かすことのできるピストンロッド４と、  ｃ）ケーシング１／２に対する投薬動作を行い且つ、ピストンロッド４と共に、ケーシング１／２に対して前進方向Ｖへの供給動作を行う投薬及び作動手段７／８／１０と、  ｄ）供給動作時、従動し且つ、投薬動作中、投薬動作を行うように投薬及び作動手段７／８／１０に接続された投薬部材１１であって、ピストンロッド４と係合し、ピストンロッド４に対する投薬部材１１の投薬動作を許容し、また、供給動作中、ピストンロッド４を従動させる前記投薬部材１１と、を備え、  ｅ）投薬部材１１をピストンロッド４に対して横方向に動かし、ピストンロッド４との係合を解放し、ピストンロッド４を前進方向Ｖと反対方向に再設定することができ、  ｆ）ケーシング１／２に、好ましくは、第一のケーシング部分１に可動に接続されて係合解放動作及び係合動作を行い得るようにした再設定及び作動要素２と、  ｇ）投薬部材１１が、係合解放動作によりピストンロッド４と非係合状態となるように動き、また、係合動作によりピストンロッド４と係合するように、再設定及び作動要素２を投薬部材１１に結合するカム歯車１０／１５／２０と、を備え、  ｈ）カム歯車１０／１５／２０が、前進方向Ｖに対して横方向を指す横方向案内レール１０ａ、１０ｂであって、投薬部材１１が係合し、また、非係合状態となるように動くとき、その上にて投薬部材１１が案内される前記横方向案内レール１０ａ、１０ｂを形成する、ピストンロッドの迅速な再設定機能を備える製品の供給装置。
2005531348.tif 000002
【特許請求の範囲】
【請求項１】
ピストンロッドの迅速な再設定機能を備える製品の供給装置において、
ａ）製品にて充填され且つ、そこからピストン（Ｋ）によって製品を供給することのできるリザーバ（Ｒ）用の第一のケーシング部分（１）を備えるケーシング（１／２）と、
ｂ）製品を供給すべくピストン（Ｋ）をリザーバ（Ｒ）の出口（Ａ）に向けて動かし得るように前進方向（Ｖ）に動かすことのできるピストンロッド（４）と、
ｃ）ケーシング（１／２）に対する投薬動作を行い且つ、ピストンロッド（４）と共に、ケーシング（１／２）に対して前進方向（Ｖ）への供給動作を行う投薬及び作動手段（７／８／１０）と、
ｄ）供給動作時、従動し且つ、投薬動作中、投薬動作を行うように投薬及び作動手段（７／８／１０）に接続された投薬部材（１１）であって、ピストンロッド（４）と係合し、ピストンロッド（４）に対する投薬部材（１１）の投薬動作を許容し、また、供給動作中、ピストンロッド（４）を従動させる前記投薬部材（１１）と、を備え、
ｅ）投薬部材（１１）をピストンロッド（４）に対して横方向に動かし、ピストンロッド（４）との係合を解放し、ピストンロッド（４）を前進方向（Ｖ）と反対方向に再設定することができ、
ｆ）ケーシング（１／２）に、好ましくは、第一のケーシング部分（１）に可動に接続されて係合解放動作及び係合動作を行い得るようにした再設定及び作動要素（２）と、
ｇ）投薬部材（１１）が、係合解放動作によりピストンロッド（４）と非係合状態となるように動き、また、係合動作によりピストンロッド（４）と係合するように、再設定及び作動要素（２）を投薬部材（１１）に結合するカム歯車（１０／１５／２０）と、を備え、
ｈ）カム歯車（１０／１５／２０）が、前進方向（Ｖ）に対して横方向を指す横方向案内レール（１０ａ、１０ｂ）であって、投薬部材（１１）が係合し、また、非係合状態となるように動くとき、その上にて投薬部材（１１）が案内される前記横方向案内レール（１０ａ、１０ｂ）を形成する、ピストンロッドの迅速な再設定機能を備える製品の供給装置。
【請求項２】
請求項１に記載の製品の供給装置において、第一のケーシング部分（１）に可動に接続された第二のケーシング部分（２）が、再設定及び作動要素（２）を形成することを特徴とする、製品の供給装置。
【請求項３】
請求項１又は２の何れか１つの項に記載の製品の供給装置において、係合解放動作及び係合動作の各々が、第一のケーシング部分（１）の長手方向軸線（Ｌ）に沿った、再設定及び作動要素（２）と第一のケーシング部分（１）との間の相対的動作であることを特徴とする、製品の供給装置。
【請求項４】
請求項１ないし３の何れか１つの項に記載の製品の供給装置において、第一のケーシング部分（１）及び再設定及び作動要素（２）が、第一のケーシング部分（１）の長手方向軸線（Ｌ）の周りにて螺着係合し、係合解放動作及び係合動作の各々が、螺着係合により画成されたねじ止め動作であることを特徴とする、製品の供給装置。
【請求項５】
請求項１ないし４の何れか１つの項に記載の製品の供給装置において、歯車（１０／１５／２０）が、再設定及び作動要素（２）に接続された歯車入力部材（２０）と、投薬部材（１１）に接続された歯車出力部材（１５）とを備え、歯車入力部材（２０）及び歯車出力部材（１５）が係合し、この係合は、歯車入力部材（２０）が歯車出力部材（１５）に対して行う、再設定及び作動要素（２）の係合動作及び係合解放動作に起因する動きをピストンロッド（４）に対して横方向への歯車出力部材（１５）の動きに変換することを特徴とする、製品の供給装置。
【請求項６】
請求項１ないし５に記載の製品の供給装置において、歯車出力部材（１５）及び歯車入力部材（２０）の一方（２０）が、追加的な案内レール（２１）を形成し、歯車出力部材（１５）及び歯車入力部材（２０）の他方（１５）が、係合したとき、該追加的な案内レール（２１）上を案内される係合部材を形成することを特徴とする、製品の供給装置。
【請求項７】
請求項１ないし６に記載の製品の供給装置において、追加的な案内レール（２１）が、ピストンロッド（４）の長手方向（Ｌ）に向けてピストンロッド（４）に対して傾斜を示すことを特徴とする、製品の供給装置。
【請求項８】
請求項６又は７の何れか１つの項に記載の製品の供給装置において、追加的なレール（２１）が、ピストンロッド（４）の長手方向軸線（Ｌ）に沿った歯車入力部材（２０）と歯車出力部材（１５）との間の相対的動きにより、案内係合によってピストンロッド（４）に対して横方向に相対的動作が生じるように伸びることを特徴とする、製品の供給装置。
【請求項９】
請求項６ないし８の何れか１つの項に記載の製品の供給装置において、歯車入力部材（２０）及び歯車出力部材（１５）が、相互に対面する側部にて円錐形であることを特徴とする、製品の供給装置。
【請求項１０】
請求項５ないし９の何れか１つの項に記載の製品の供給装置において、歯車出力部材（１５）が、該出力部材がピストンロッド（４）に対して横方向に動くとき、投薬部材（１１）を従動させることを特徴とする、製品の供給装置。
【請求項１１】
請求項１ないし１０に記載の製品の供給装置において、歯車出力部材（１５）が、該出力部材がピストンロッド（４）に対して横方向に動くとき、投薬部材（１１）を従動させ得るように投薬部材（１１）の後方を把持することを特徴とする、製品の供給装置。
【請求項１２】
請求項５ないし１１の何れか１つの項に記載の製品の供給装置において、投薬部材（１１）を歯車出力部材（１５）に対して前進方向（Ｖ）に且つ、前進方向（Ｖ）と反対の方向に動かすことができることを特徴とする、製品の供給装置。
【請求項１３】
請求項５ないし１２の何れか１つの項に記載の製品の供給装置において、歯車入力部材（２０）が、リザーバ（Ｒ）を形成する容器に対して前進方向（Ｖ）に向けて押されるリザーバホルダ（３０）に接続され、該接続は、リザーバホルダ（３０）がピストンロッド（４）の長手方向軸線（Ｌ）に沿って投薬部材（１１）に対して動くとき、歯車入力部材（２０）を従動させるが、歯車入力部材（２０）がピストンロッド（４）の長手方向軸線（Ｌ）の周りで回転するのを許容することを特徴とする、製品の供給装置。
【請求項１４】
請求項５ないし１３の何れか１つの項に記載の製品の供給装置において、投薬部材（１１）、歯車出力部材（１５）及び歯車入力部材（２０）が、互いに接続され、ピストンロッド（４）の長手方向軸線（Ｌ）の周りで回転しないよう固定されることを特徴とする、製品の供給装置。
【請求項１５】
請求項５ないし１４の何れか１つの項に記載の製品の供給装置において、ばね要素（３７）であって、再設定及び作動要素（２）の係合動作により緊張状態とされ、また、係合解放動作の間、その張力により、歯車入力部材（２０）を歯車出力部材（１５）に対して動かす前記ばね要素（３７）が設けられることを特徴とする、製品の供給装置。
【請求項１６】
請求項１ないし１５に記載の製品の供給装置において、第一のケーシング部分（１）により収納された容器が、リザーバ（Ｒ）を形成し、ばね要素（３７）が、該容器を第一のケーシング部分（１）により形成されストッパに対して前進方向（Ｖ）に向けて押すことを特徴とする、製品の供給装置。
【請求項１７】
請求項１ないし１６の何れか１つの項に記載の製品の供給装置において、投薬及び作動手段（７／８／１０）が、ピストンロッド（４）を取り巻くスリーブ形状の移送要素（１０）を備え、該移送要素（１０）が、投薬部材（１１）を取り付け、該投薬部材が軸方向に変移しないよう固定され且つ、ピストンロッド（４）に対して横方向に動くことができるようにしたことを特徴とする、製品の供給装置。
【請求項１８】
請求項１ないし１７に記載の製品の供給装置において、移送要素（１０）が、横方向案内レール（１０ａ、１０ｂ）を形成することを特徴とする、製品の供給装置。
【請求項１９】
請求項１ないし１８の何れか１つの項に記載の製品の供給装置において、投薬及び作動手段（７／８／１０）が、ピストンロッド（４）に対するその投薬動作を行い且つ、投薬部材（１１）に接続され、投薬部材（１１）が投薬及び作動手段（７／８／１０）の投薬動作にて従動するようにしたことを特徴とする、製品の供給装置。
【請求項２０】
請求項１ないし１９の何れか１つの項に記載の製品の供給装置において、投薬部材（１１）及び別の投薬部材（１２）が、ねじ付きロッドとして形成されたピストンロッド（４）と螺着係合する軸方向割型ねじ付きナット（１１／１２）を形成し、投薬部材（１１、１２）が、ピストンロッド（４）の相互に対向する長手方向側部にて対称に配置されることを特徴とする、製品の供給装置。
【請求項２１】
請求項１ないし２０の何れか１つの項に記載の製品の供給装置において、選択した製品投薬量を吸入器の噴霧手段に供給し得るよう吸入器に対する投薬手段として使用すべく装置が提供されることを特徴する、製品の供給装置。
【請求項２２】
請求項１ないし２１の何れか１つの項に記載の製品の供給装置と、リザーバ（Ｒ）の出口（Ａ）に接続された注射針又は圧力注射手段とを備える注射装置。
【発明の詳細な説明】
【技術分野】
【０００１】
本発明は、製品を投薬量にて供給する装置に関する。該製品は、供給する間、例えば、注射により直接、投与することができる。しかし、装置は、また、例えば、圧力注射手段、又は特に、吸入器の噴霧手段と組み合わせて、投与手段と共に使用することもできる。後者の適用例にて製品を供給するとき、製品の所望の投薬量が設定され且つ、その後の実際の投与手段内に供給される。
【背景技術】
【０００２】
その１つが例えば、国際出願明細書ＷＯ９９／０３５２２号に記載された既知の注射装置は、製品をリザーバから供給し得るように、製品にて充填されたリザーバ内にピストンを備えている。ピストンの供給動作は、ピストンロッドによって行われる。供給すべき製品の投薬量を選び且つ、その製品自体を供給するため、既知の装置は、ピストンロッドに結合された投薬及び作動手段を更に備えている。既知の投薬及び作動手段は、ピストンロッドと直接係合した投薬部材を備えている。投薬量を選ぶことにより、ピストンロッドは、ピストンに向けて、投薬部材に対して僅かだけ軸方向に前進する。次に、投薬部材及びピストンロッドによって投薬及び作動手段を前進させる。この供給動作の間、ピストンロッドは、ピストンを押し、このため、ピストンは、リザーバ内にてリザーバ出口に向けて前進し、これにより選んだ製品投薬量を供給する。投薬量を選び且つ、製品を供給する手順は、投薬量を選ぶのに利用可能なピストンロッドの長さの全部が使い尽きる迄、反復することができる。
【発明の開示】
【発明が解決しようとする課題】
【０００３】
国際特許明細書ＷＯ９９／０３５２２号において、ピストンロッドは、ねじ付きロッドであり、投薬部材は、互いに螺着係合したねじ付きナットである。リザーバが充填され又は、交換された後、その後に、製品を投薬すべくピストンロッドが再度、使用されるならば、ピストンは、投薬量を選ぶのに使用したそのねじ付き長さに沿って投薬部材に対し戻るよう回転させなければならず、このことは、面倒なことである。
【０００４】
既知である別の製品の供給装置の設計において、ピストンロッドは、歯付きロッドとして形成され、また、投薬部材は、ピストンロッドの鋸歯状の歯と係合する弾性的拘束部として形成される。この型式の装置において、ピストンロッドを再設定することは、全体として、全く不可能である。
【０００５】
本発明の１つの目的は、投薬量が選ばれたならば、その投薬量が選ばれる前の当初の状態に迅速に且つ、楽に再設定して戻すことができる製品の供給装置を提供することである。
【課題を解決するための手段】
【０００６】
本発明が関係する製品の供給装置は、ケーシングと、ピストンロッドと、投薬及び作動手段と、ピストンロッドと係合した投薬部材とを備えている。ケーシングは、製品にて充填されたリザーバを収納する作用を果たすケーシング部分を備えている。当該ケーシング部分は、リザーバを直接、形成することができる。しかし、より好ましくは、ケーシング部分は、挿入できる製品容器に対するホルダを形成するようにする。リザーバは、出口を備えており、また、出口から反対方向を向く一端にてピストンにより密封されており、ここで、上記ピストンは、出口に向けて前進方向に動いて製品を出口から押し出すことができる。ピストンは、装置の不動の構成要素とすることができる。しかし、特に、ピストンは、製品容器の１つの構成要素とし、また、自己投与のときに一般的であるように、容器と共に交換することができる。このため、例えば、インシュリン又は成長ホルモンを投与するような、治療分野における自己投与は、本発明にとって好ましい適用領域である。
【０００７】
投薬及び作動手段は、ケーシングにより取り付けられ、該手段が前進方向への供給動作及びケーシングに対する投薬動作を行うことができる。投薬部材は、好ましくは、確実ロック状態にて、投薬及び前進手段と係合しており、このため、該投薬部材は、供給動作中、正確に従動する。投薬部材は、ピストンロッドにも係合している。投薬及び作動手段と投薬部材との間の係合並びに、投薬部材とピストンロッドとの間の係合は、投薬及び作動手段の投薬動作によって投薬部材がケーシング及びピストンロッドに対して投薬動作中に動くようなものとする。このように、投薬及び作動手段並びにピストンロッドは、互いに接続し、これらが互いに対して軸方向に変移することができるが、例えば、投薬部材がケーシング内にて軸方向に及び直線方向に案内され且つ、ピストンロッドと螺着係合している間、ピストンロッドの長手方向軸線に対して回転しないよう固定することができる。この場合、投薬部材の投薬動作は、前進方向と反対方向への平行移動動作とすることができる。
【０００８】
しかし、好ましくは、投薬及び作動手段並びに投薬部材は、互いに接続され、これらは、回転しないよう固定され且つ、軸方向に対し移動しないよう固定される。このように、投薬及び作動手段並びに投薬部材は、共に、供給動作を行うのみならず、投薬動作をも行う。代替的な例において、投薬部材とピストンロッドとの間の係合は、投薬部材がピストンロッドに対し投薬動作するのを許容し且つ、供給動作の間、ピストンロッドを従動させる。
【０００９】
投薬部材とピストンロッドとの間の係合は、例えば、ドイツ国特許明細書ＤＥ１９９  ４５  ３９７号に記載されているように、摩擦ロックとしてもよいが、供給動作及び投薬動作に対する確実なロック係合とすることが好ましい。特に好ましくは、投薬部材は、ピストンロッド螺着係合したねじ付き部材であるものとする。螺着係合であることが明らかに好ましいが、それに代えて、ピストンロッドは、歯付きロッドとして形成し、また、投薬部材は、原理上既知であるように、弾性的拘束部として形成することができる。
【００１０】
投薬部材は、投薬量を選ぶため及び供給のため、存在する係合を解放し得るようにすべく、ピストンロッドに対し横方向に動かすことができる。係合が解放されたとき、ピストンロッドは、最後方の当初位置迄、前進方向と反対方向に戻るように動く、すなわち再設定することができる。最後方の当初位置において、投薬に有効なピストンロッドの全長を、再度、利用するひとができる。
【００１１】
投薬部材がねじ付き部材であり、これに相応してピストンロッドがねじ付きロッドであり、螺着係合するならば、投薬部材は、最大限１８０°の円弧として測定したとき、外周の周りにてピストンロッドを取り囲み、投薬部材がピストンロッドに対し横方向に動くことを可能にする。ねじ付き部材として１つの好ましい実施の形態において、投薬部材は、２つのナット半体から成る割型ねじ付き部材であることが好ましい、軸方向割型ねじ付きナットとして形成され、これら２つのナット半体は、両方向に向けてピストンロッドに対し横方向に動き、非係合状態となるように配置されている。
【００１２】
ピストンロッドが歯付きロッドであり、投薬部材がピストンロッドから弾性的に曲がることのできる拘束部、又は、かかる拘束部を多数備える拘束手段であるならば、ピストンロッドとの係合を解放する投薬部材の横方向への動きは、かかる投薬部材にて一般的であるように、投薬の目的のため弾性的に曲がって離れるものではなく、１つ又は複数の拘束部が係合解放位置まで遠方に動く横方向動作であると理解され、この係合解放位置において、投薬部材は、その弾性的力のため、ピストンロッドの歯付きロッド部分の歯の空隙内に突出せず、ピストンロッドから自由である。
【００１３】
本発明による装置は、また、ケーシングに対する係合解放及び係合動作を行うことができるような仕方にてケーシングに接続された再設定及び作動要素も備えている。１つの好ましい実施の形態において、該再設定及び作動要素は、それ自体、第二のケーシング部分を形成する。しかし、原理上、該要素は、ケーシングに取り外し可能に取り付けられる追加的な要素とすることもできる。
【００１４】
再設定及び作動要素並びに投薬部材は、カム歯車によって互いに結合されている。カム歯車は、再設定及び作動要素の係合解放動作を投薬部材をそのピストンロッドと非係合状態となるように案内する投薬部材の横方向動作に変換する。その他の方向に向けて、カム歯車は、また再設定及び作動要素の係合動作を投薬部材をピストンロッドと係合するように案内して戻す投薬部材の横方向動作にも変換する。投薬部材の横方向動作は、案内レールに沿って確実ロックにより案内される動作であり、該案内レールは、長手方向軸線に対して横方向を指し、以下の説明にて、横方向案内レールと称する。投薬部材は、横方向案内レール上で直接案内されることが好ましい。この実施の形態において、投薬部材は、摺動片を形成することができる。該横方向案内レールは、投薬部材を包み込むか又は該当する場合、投薬部材に接続され且つ両側部にて横方向案内レール上を案内される移送部品を包み込み、投薬部材は、既に、横方向案内レール上を案内されることにより、ピストンロッドと係合し且つピストンロッドと非係合状態となるその横方向動作する間、前進方向に向けて又は前進方向と反対方向に動くのが防止されているようにする。
【００１５】
ケーシングが閉じられたとき、再設定及び作動要素に並びに投薬部材に結合されたカム歯車によって、ピストンロッドを再設定することができる。再設定及び作動要素がその係合解放動作を行い得るように再設定及び作動要素をケーシングに対して作動させるだけでよい。係合解放動作は、カム歯車によって投薬部材の横方向動作に自動的に変換され、該投薬部材は、ピストンロッドとの係合状態を解放する。該当する場合、装置は、係合が解放されたとき、重力の効果によってピストンロッドが前進方向と反対方向に落下し又は好ましくは摺動して当初位置になる位置までも移動する。
【００１６】
上述したように、１つの好ましい実施の形態において、再設定及び作動要素が第二のケーシング部分により形成される。第一及び第二のケーシング部分は、互いにねじ止めされるスリーブ部品とすることができる。これらは、リザーバを交換し又は再充填するため分離するようねじ止めしなければならない２つのケーシング部分であることが好ましい。２つのケーシング部分が別個にねじ止めされるとき行われる、これら２つのケーシング部分が互いに対して動くことは、同時に係合解放動作となるようにしてもよい。２つのケーシング部分は、原理上、ケーシング部分が互いに回転することを必要としない差込み接続及び（又は）係止接続によって互いに接続することも可能である。しかし、ケーシング部分を螺着係合によって接続することが好ましく、それは、この接続は、係合解放動作及び係合動作を特に精密に制御された仕方にて行うことを可能にするからである。
【００１７】
原理上、再設定及び作動要素は、ケーシング部分自体を形成する必要はない。該要素は、ケーシング、例えば、第一のケーシング部分又は第二のケーシング部分に、好ましくは、螺着係合によって、接続された追加的な部分とすることもできる。
【００１８】
カム歯車は、再設定及び作動要素を投薬部材に結合する少なくとも１つのその他の案内レールを形成することが好ましい。再設定及び作動要素に接続された歯車入力部材及び投薬部材に接続された歯車出力部材は、カム部材及びカム歯車の係合部材を形成する。カム歯車には、案内レールが設けられ、該案内レール上にて係合部材は、案内係合状態にて案内される。この案内係合は、再設定及び作動要素の係合解放動作及び係合動作をピストンロッドに対する投薬部材の関係する横方向動作に転換する。案内レールは、ピストンロッドの周りにて伸びる湾曲した円弧とすることができ、カム部材と係合部材とがピストンロッドの周りで回転するとき、該湾曲した円弧上にて、係合部材は、ピストンロッドから持ち上げられる。しかし、好ましくは、案内レールは、ピストンロッドの長手方向に伸び且つ、ピストンロッド、すなわちピストンロッドの長手方向に対して傾斜を示すものとする。案内レールは、この実施の形態にて湾曲させることもできるが、傾斜は、一定の傾斜角度を示すことが好ましい。特に好ましくは、案内レールは、連続的に傾斜している、すなわち、曲がらずに、特に、亀裂が全く存在しないようにする。
【００１９】
１つの好ましい実施の形態において、投薬部材及び歯車出力部材は、ピストンロッドの長手方向に互いに動くことのできる別個の物である。しかし、原理上、投薬部材及び歯車出力部材を１つの部分として形成することも考えられる。２つの部分にて形成する好ましい実施の形態において、歯車出力部材は、ピストンロッドの長手方向軸線に対し直角に横方向に、投薬部材の後方を把持し、投薬部材をピストンロッドと非係合状態となるように引き出す。
【００２０】
同様に好ましい実施の形態において、再設定及び作動要素及び歯車入力部材は、別個の物である。しかし、原理上、再設定及び作動要素及び歯車入力部材を１つの部品として具体化することも可能である。２つの部分にて形成する好ましい実施の形態において、再設定及び作動要素及び歯車入力部材は、互いに接続し、これらがピストンロッドの長手方向軸線に沿って互いに動き且つ（又は）ピストンロッドの長手方向軸線の周りで互いに回転し得るようにする。再設定及び作動要素に対して歯車入力部材が動き得ることは、再設定及び作動要素がケーシングの一部分を形成するとき、特に好ましいことである。
【００２１】
特に好ましくは、ばね要素は、再設定及び作動要素の係合動作により緊張され、また、係合解放動作する間、その緊張力によって歯車入力部材を歯車出力部材に対して動かすように設けられ且つ、そのような配置とされるものとする。このばね要素は、特に、ケーシングと当接する迄、製品にて充填された容器を前進方向に押すために一般に使用されるような、平衡ばねによって特に形成することができる。かかる平衡ばねは、全体としてケーシングにより収納される製品容器と装置のその他の要素との間にて長さの許容公差を等しくする働きをする。歯車入力部材及び歯車出力部材は、かかる平衡ばねを使用して互いに動かすことが有益である。このことは、相対的な動きがピストンの長手方向軸線に対して平行であるか又は軸方向動作成分を備えるとき、容易に可能である。
【００２２】
その他の好ましい特徴は従属請求項に記載されている。
本発明は、一例としての実施の形態に基づいて以下に説明する。一例としての実施の形態として開示された特徴は、各々、個々に且つ、特徴の任意の組み合わせにて、請求項の主題を構成するものである。
【発明を実施するための最良の形態】
【００２３】
図１には、液体製品の選んだ投薬量を供給する装置が示されている。製品は、特に、例えば、インシュリンのような薬剤とすることができる。
装置は、各々、スリーブ部品として形成された、第一のケーシング前側部分１及び第二のケーシング後側部分２を備える２つの部分から成るケーシングを備えている。２つのケーシング部分１、２は、互いにねじ止めされる。ケーシング前側部分１は、製品にて充填されたリザーバＲを保持している。リザーバＲは、交換可能な容器、一例としての実施の形態にて、中空の円筒状アンプルにより形成される。容器は、ケーシング前側部分１により形成されたストッパと当接する迄、後側からケーシング前側部分１内に挿入する。その前端にて、容器は、隔壁により滅菌状態に密封される出口Ａを備えている。このように形成されたリザーバＲから製品を供給するため、カニューレを隔壁を通じて出口Ａ内に導入する。その後端にて、リザーバＲは、ピストンＫにより密着密封されている。ピストンＫを長手方向軸線Ｌに沿って出口Ａに向けて前進方向Ｖに前進させることにより製品はリザーバＲから押し出される、すなわち、出口Ａを通じて供給される。
【００２４】
ピストンＫは、ケーシング１／２により長手方向軸線Ｌに沿って、すなわち軸方向に直線状に案内されるピストンロッド４によって前進方向Ｖに動かされる。ピストンロッド４は、投薬及び作動手段に結合される。投薬及び作動手段は、投薬スリーブ７、スリーブ形状の投薬及び作動要素８、スリーブ形状の移送要素１０により形成される。割型投薬部材１１／１２は、上記投薬及び作動手段７／８／１０に接続される。投薬部材１１／１２は、２つの別個の同一の部品に軸方向に分割される。これら２つの部品は、以下に、第一の投薬部材１１及び第二の投薬部材１２と称する。第一の投薬部材１１及び第二の投薬部材１２は、各々、同時にピストンロッド４の長手方向軸線でもある長手方向軸線Ｌの周りで螺着係合し、ピストンロッド４はねじ付きロッドとして形成される。第一の投薬部材１１及び第二の投薬部材１２は、接続され、軸方向に移動しないよう固定され且つ、長手方向軸線Ｌの周りで回転しないよう移送要素１０に対し固定される。しかし、第一の投薬部材１１及び第二の投薬部材１２の双方は、移送要素１０、特に、ピストンロッド４に対し、長手方向軸線Ｌに対して横方向に動くことができる。これらの部材が横方向に動き得るようにするため、移送要素１０は、２つの投薬部材１１、１２の各々に対し長手方向軸線Ｌに対して横方向を指す案内軸を形成することにより、第一の投薬部材１１及び第二の投薬部材１２を直線方向に案内し、上記の案内軸は、同時に、軸方向への移動を阻止する閉止部及び回転を阻止する閉止部としても機能する。例えば、図６及び図７に基づいて、より容易に理解し得るよう、案内軸の各々は、前進方向Ｖを指す側壁１０ａと、前進方向Ｖと反対方向を指す側壁１０ｂとを備えている。側壁１０ａ、１０ｂは、各々、投薬部材１１、１２の１つに対して、長手方向軸線に対して横方向を指す、直線状の横方向案内レールを形成する。投薬部材１１、１２の各々１つは、案内軸の２つの横方向案内レール１０ａ、１０ｂの間に包み込まれ且つ、摺動可能に案内され、対の横方向案内レール１０ａ、１０ｂにより形成された２つの横方向案内部が長手方向軸線Ｌに対し正確に垂直に摺動することのみを許容する。投薬部材１１、１２は、それら自体、案内係合の摺動片を形成する。横方向案内レール１０ａ、１０ｂは、投薬部材１１、１２と共に、カム歯車の一部分を形成する。
【００２５】
製品を投薬し且つ、供給すべく協働する構成要素の形態、機能及び協働に関して、図８を常に更に参照して説明する。
投薬及び作動ボタン８は、移送装置１０に脱着可能に接続されている。投薬及び作動ボタン８は、多数の個別の部品、すなわちケーシング後側部分２から突出する外側スリーブ部分８ａと、挿入された内側スリーブ部分８ｂと、外側スリーブ部分８ａ内に後部から挿入され且つ、係止された端部ボタン８ｃと、端部ボタン８ｃと内側スリーブ部分８ｂとの間にて軸方向に緊張状態とされたばね８ｄとから成っている。内側スリーブ部分８ｂは、投薬及び作動ボタン８を移送要素１０に締結する作用を果たし、従って、以下の説明にて締結部分８ｂと称する。外側スリーブ部分８ａは、供給装置を作動させるためユーザがアクセス可能であり、従って、以下の説明にて作動部分８ａとも称する。作動部分８ａは、端部ボタン８ｃに接続され、摺動しないよう固定され且つ、圧力緊張ばね８ｄを介して締結部分８ｂ上に支持されている。作動部分８ａは、締結部分８ｂに対して前進方向Ｖの方向に且つ、前進方向Ｖと反対方向に、従って移送要素１０に対しても動かすことができる。ばね８ｄが作動部品８ａが締結部品８ｂと当接する迄、該作動部品８ａを前進方向Ｖと反対方向に押し、該作動部品が図１ないし図３に示した、締結部品８ｂに対する後方ストッパ位置となるようにする。これに相応して、該作動部品は、ばね８ｄの弾性力に抗して押すことにより、前進方向Ｖに向けて締結部品８ｂ及び移送要素１０に対し動かすことができる。この前進方向Ｖに向けて動き得ることは、投薬及び作動手段７／８／１０を作動させるために有益であり、該投薬及び作動手段は、この特徴のため、それ自体内にばね撓み動作することができる。
【００２６】
以下の説明において、構成要素８ａないし８ｄは、その全体を投薬及び作動ボタン８として説明する。
取り巻く溝９が投薬及び作動ボタン８が外表面領域に、一例としての実施の形態において、移送要素１０を取り巻く部分にて外側スリーブ部分８ａの外表面領域に形成されることを説明する必要がある。上記溝９は、環状に形成された閉止部材４５と協働し、該閉止部材は、投薬及び作動ボタン８の外表面領域を取り巻き且つ、ばね要素４９によって投薬及び作動ボタン８の外表面領域に対して半径方向内方に緊張状態とされる。
【００２７】
投薬スリーブ７は、ケーシング後側部分２の後端に取り付けられ且つ、ケーシング後側部分２に対し長手方向軸線Ｌの周りで回転させることができる。その後端にて、投薬スリーブ７は、半径方向内方に突出し且つ、その内周上で均一に分配された歯７ａ（図９）を形成するカラーを形成する。歯７ａと反対側の外表面領域にて、投薬及び作動ボタン８は、相応するピッチにて直線状の軸方向案内溝を形成し、該案内溝の各々にて歯７ａの１つが軸方向に及び直線状に案内される。このようにして、投薬スリーブ７及び投薬及び作動ボタン８は、長手方向軸線Ｌの周りで回転しないよう固定されるが、これらは、互いに軸方向に動くことができるよう接続される。
【００２８】
ピストンロッドホルダ６は、ピストンロッド４に対する軸方向の直線状案内部を形成する。ピストンロッドホルダ６は、ケーシング後側部分２に接続され、該ホルダは、動かすことができず、特に、ピストンロッドホルダ６はケーシング後側部分２に対し軸方向に動くことも、長手方向軸線Ｌの周りで回転することもできない。ピストンロッドホルダ６及びピストンロッド４は、互いに軸方向にのみ動くことができる。このようにして、ピストンロッド４は、ケーシング後側部分２に対して軸方向に且つ直線状に案内される。
【００２９】
ピストンロッドホルダ６の後端と機構ホルダ５の半径方向内方に突出するカラーとの間には摺動片１５が第一の投薬部材１１の上で半径方向に取り付けられており、別の摺動片１６は第二の投薬部材１２の上で半径方向に取り付けられ、これら摺動片の各々は、軸方向に変移しないよう固定されるが、半径方向に且つ直線状に案内され、この意味にて、半径方向に動くことができる。摺動片１５、１６は、同一の形態を有し且つ、各々が割り当てられた第一の投薬部材１１、第二の投薬部材１２に対して同一の機能を果たす。摺動片１５、１６は、長手方向軸線Ｌに対し対称に配置されている。機構ホルダ５は、ケーシング後側部分２に対し不動に接続され、特に、該ホルダは、ケーシング後側部分２に対し軸方向に動くことができず、この目的のため、四半円リブ５６はストッパとして機能し且つ、長手方向軸線Ｌの周りにて回転することはできない。
【００３０】
摺動片１５、１６は、カム歯車の追加的な歯車部材を形成する。これら摺動片は各々、投薬部材１１、１２の１つと直接係合しているため、これら摺動片は、以下の説明にて、カム歯車の歯車出力部材と称する。これらの摺動片は、摺動スリーブとして形成され、以下の説明にて摺動スリーブと称する歯車入力部材２０と協働する。摺動スリーブ２０は、別のカム部材を形成し、２つの摺動片１５、１６の各々がカム歯車の１つの係合部材を形成する。摺動スリーブ２０は、第一の投薬部材１１及び第二の投薬部材１２、２つの摺動片１５、１６に対し並びにケーシング後側部分２に対して軸方向に動くことができる。更に、該摺動スリーブは、ケーシング後側部分２に対して長手方向軸線Ｌの周りで回転することができる。機構ホルダ５の円形の円筒状内面領域は、摺動スリーブ２０に対する回転可能な摺動軸受及び軸方向直線状案内部を形成する。
【００３１】
図４及び図５には、各々、投薬部材１１／１２に対して同一の断面を有するが、異なる歯車状態にある割型投薬部材１１／１２及びピストンロッド４を備えるカム歯車が示されている。同一の歯車状態が各々、立体断面図である図６及び図７に示されている。カム歯車の作動モードに関して、常に、以下の説明にて、図４ないし図７を更に参照する。
【００３２】
摺動片１５、１６の各々は、その外面にて円錐形である。摺動スリーブ２０は、摺動片１５、１６の円錐形領域に面するその内面に相応する相手方円錐体を形成する。摺動片１５、１６の円錐形の外側領域及び摺動スリーブ２０の相手方円錐体の領域は、互いに平行であり、円錐形領域の全体に亙って均一な幅の円錐形空隙を形成する。
【００３３】
図４及び図５にて最も容易に認識し得るように、摺動スリーブ２０は、摺動片１５に対する２つの案内レール２１及び摺動片１６に対する２つの案内レール２２を形成する。摺動片１５、１６は、案内レール２１、２２と摺動接触した相応する係合レール１８を形成する。案内レール２１は、長手方向軸線Ｌの両側部にて互いに直径上に対向した摺動スリーブ２０の内表面領域に形成される。同一のことは、案内レール２２に当てはまる。案内レール２１、２２は、軸方向に伸びており且つ、各々、長手方向軸線Ｌに対して一定の傾斜を示す、すなわち、案内レール２１、２２は直線状である。案内レール２１は、互いに平行である。案内レール２２も互いに平行である。図４及び図５の断面図にて摺動スリーブ２０の左側部及び右側部に形成された案内レール２１、２２は、長手方向軸線Ｌに対し平行な直線により２等分された鋭角な角度にて、図１に長手方向断面図にて示すように、前進方向Ｖに向け互いの方向に矢状に伸びている。このように、摺動スリーブ２０が摺動片１５、１６に対し軸方向に動くとき、摺動片１５、１６は、その係合レール１８を介して案内レール２１、２２上を案内され、このため、摺動片１５、１６は、互いに離れる方向に動き又は長手方向軸線Ｌに対し横方向に互いに向けて動き、一例としての実施の形態にて、長手方向軸線Ｌに対し正確に垂直方向に動く。
【００３４】
第一の投薬部材１１は、摺動片１５内に収納され、軸方向に且つ、直線状に案内される。これに応じて、第二の投薬部材１２は、その摺動片１６に収納され、軸方向に且つ、直線状に案内される。断面図にてその相互に面する下側部、左側部及び右側部に、摺動片１５、１６は、互いに向けて内方に突出する支え材１７を備えている。摺動片１５は、その２つの支え材１７により第一の投薬部材１１の後方を把持し、摺動片１６は、その２つの支え材１７により第二の投薬部材１２の後方を把持する。２つの摺動片１５、１６が長手方向軸線Ｌに対し横方向に互いに向けて動くならば、投薬部材１１、１２の後方を把持する支え材１７は、２つの投薬部材１１、１２を同一の仕方にて長手方向軸線Ｌに対し横方向に互いに離れるように動かし、このため、これらをピストンロッド４と非係合状態となるように動かす。摺動片１５、１６が互いに向けて横方向に動くとき、摺動片１５、１６は、再度、投薬部材１１、１２をそれらの表面領域を介して互いに向けて押し、このため、ピストンロッド４と再度、係合するように戻す。既に説明したように、投薬部材１１、１２は、それらそれぞれの摺動片１５、１６内を軸方向に案内され、このため、これらの摺動片は、直線状に変移することができる。支え材１７は、直線状案内部に対する案内レールを形成し、投薬部材１１、１２は、これら投薬部材上を案内される係合レール１３を形成し、支え材１７がこの係合レールの後方を把持する。
【００３５】
図１の状態にて存在する、ピストンロッド４と割型投薬部材１１／１２との間の螺着係合は、互いに対し軸方向に動くケーシング部分１、２によって解放される。この相対的動きは、ケーシング部分１、２が別個にねじ止めされるときに生ずる。ケーシング部分１、２が別個にねじ止めされるとき、ケーシング部分１、２により共に形成されたケーシングは、最初に、長さが長くなり、この長さは、互いに軸方向に動くケーシング部分１、２に相応する。このため、例えば、リザーバＲを交換するために必要とされる、ケーシング部分１、２間の相対的動きは、ピストンロッド４と割型投薬部材１１／１２との間の係合を解放し、及びこの係合により得られた、ピストンロッド４と投薬及び前進手段７／８／１０とが軸方向に変移することに対する閉止状態を解放するために使用される。係合を解放するため互いに対し軸方向に動くケーシング部分１、２を使用し得るようにすべく、投薬スリーブ２０は、次のようにして、ケーシングの前側部分１に接続される、すなわち摺動スリーブ１５、１６がケーシングの後側部分２に対するこれらのスリーブの軸方向位置を保持する間、ケーシング後側部分に対してその軸方向への動きに従動するような仕方にて接続される。摺動片１５、１６を機構ホルダ５とピストンロッドホルダ６との間に取り付けることは、上述したように、摺動片１５、１６が軸方向に摺動しないように固定されることを保証することになる。ケーシング前側部分１にて摺動スリーブ２０を結合することは、リザーバを保持するばね３７を形成し、該ばねは、２つのケーシング部分１、２が完全に互いにねじ止めされるとき、ピストンロッドホルダ６とリザーバホルダ３０との間にて軸方向に圧力緊張状態とされる。この目的のため、リザーバ保持ばね３７は、ピストンロッドホルダ６とリザーバホルダ３０との間にて緊張状態とされる。リザーバ保持ばね３７は、リザーバホルダ３０をリザーバＲを形成する容器の後端縁に押し付ける。リザーバ保持ばね３７は、容器をケーシング前側部分１に形成されたストッパ領域に押し付ける。かかるリザーバ保持ばね３７を配置することは、容器、ケーシング部分１、２及び容器がその上で長手方向に支持される構成要素の長さ公差を等しくするため一般的なことである。
【００３６】
従動手段２５は、リザーバホルダ３０に対し締結され、移動しないように固定され且つ、回転しないように固定される。従動手段２５は、リザーバホルダ３０がリザーバ保持ばね３７のばね力のためケーシング前側部分１の軸方向への動きに従うとき、リザーバホルダ３０と摺動スリーブ２０との間に移送部材を形成する。摺動スリーブ２０及び従動手段２５は、互いの後方を把持し、軸方向に動く間、摺動スリーブ２０には、従動手段２５が従動するようにする。一例としての実施の形態において、公差平衡化手段３８は、摺動スリーブ２０と従動手段２５との間にて軸方向に緊張される。しかし、原理上、摺動スリーブ２０及び従動手段２５は、軸方向に対し互いに堅固に接続することもできる。何れの場合でも、摺動スリーブ２０と従動手段２５との間にて、長手方向軸線Ｌの周りで回転動作することは可能である。この点に関して、投薬及び作動手段７／８／１０とケーシング後側部分２との間の回転継手が摺動スリーブ２０と従動手段２５との間に形成される。
【００３７】
歯車構成要素２０、２５、３０を組み立て且つ、ピストンロッドホルダ６に対して配置する方法は、図８にて最も容易に認識することができる。リザーバホルダ３０、特に、例えば、ピストンロッドホルダ６の相互に面するカラー３１、６１があり、このカラーの間にてリザーバ保持ばね３７が緊張されることが理解できる。リザーバホルダ３０は、カラー３１を含む円形の円筒状のスリーブ前側部分を備えている。多数のシュー３２がスリーブ部分から後方に突き出す。半径方向外方に突出する係止カム３４がシュー３２の各々の後端に形成される。更に、シュー３２の各々は、側方向案内部３３を備えている。リザーバホルダ３０は、そのシュー３２と共に、ピストンロッドホルダ６のスリーブの半径方向外側部分及び中間部分の間に挿入することができる。この目的のため、ピストンロッドホルダ６のスリーブ基部は、シュー３２に相応するキャビティを備えている。ピストンロッドホルダ６及びリザーバホルダ３０は、シュー３２及びキャビティを介して互いに接続され、回転しないように固定される。後側から、従動手段２５は、ピストンロッドホルダ６のスリーブ中間部分を介してリザーバホルダ３０に押し付けられる。その数及び配置がシュー３２に相応する、舌状体２７が従動手段２５のスリーブ後側部分から突出している。舌状体２７の各々１つは、シュー３２の１つに押し付けられ且つ、係止カム３４により係止され、係止カム３４は、舌状体２７に相応するように形成されたキャビティ２８内に係止する。従動手段２５とリザーバホルダ３０との間の接続部は、完全に剛性であるとみなすことができる。
【００３８】
摺動スリーブ２０は、スリーブ後側部分と、スリーブ部分から突き出し且つ、前進方向Ｖに向けて従動手段２５に向けて突出する複数の弾性的に曲がる舌状体２３とを備えている。従動カム２４は、舌状体２３の前端に形成されており、また、舌状体２３から半径方向外方に突出している。従動手段２５が軸方向に動くと、従動カム２４は、従動カラー２６に接続されたときに存在する係合状態により従動され、該従動カラー２６は、従動手段２５の後端にて半径方向内方に突出しており、接続されたとき、従動カム２４が該従動カラーの後方を把持する。この係合状態は、同時に、長手方向軸線Ｌの周りにて相対的な回転動作を可能にする。
【００３９】
更に、図８において、機構ホルダ５及びピストンロッドホルダ６が接続され、変移しないよう固定され且つ、回転しないよう固定される方法を認識することもできる。半径方向外方に突出する係止カム６４を備える弾性的に曲がる舌状体６３は、ピストンロッドホルダ６のスリーブ部分から後方に突き出している。係止カム６４を介して、ピストンロッドホルダ６は、機構ホルダ５の相応するキャビティ５２内に係止する。更に、ピストンロッドホルダ６から軸方向に突き出す案内突出部６２が機構ホルダ５の案内キャビティ５１と係合することにより、機構ホルダ５とピストンロッドホルダ６との間の回転を阻止する閉止部が得られる。機構ホルダ５及びピストンロッドホルダ６は、係止カム６４と案内突出部６２の案内部との間の係止接続部を介して、互いに接続され、変移しないよう固定され且つ、回転しないよう固定される。機構ホルダ５は、ケーシング後側部分２に接続され、変移しないよう固定され且つ、回転しないよう固定され、このことはピストンロッドホルダ６にも当てはまる。
【００４０】
復帰ばね３６は、ピストンロッドホルダ６と投薬及び作動手段７／８／１０の移送要素１０との間にて軸方向に緊張した状態とされている。復帰ばね３６は、製品が供給された後、投薬及び作動手段７／８／１０、割型投薬部材１１／１２及びピストンロッド４を復帰させる作用を果たす。
【００４１】
該装置は、その外面領域に投薬量目盛り４１が設けられた投薬量インジケータスリーブ４０を更に備えている。投薬量インジケータスリーブ４０は、図８及び図９の各々に側面から見た立体図で示され、また、図１０にて正面図及び背面図という２つの長手方向断面図に示されている。該スリーブは、機構ホルダ５と螺着係合している。機構ホルダ５の後側部分の外ねじ部５３と投薬量インジケータスリーブ４０の内ねじ部４２との間に螺着係合状態が存在する。２つのねじ部４２、５３のねじ付き軸線は長手方向軸線Ｌと一致する。投薬量目盛り４１は、投薬量インジケータスリーブ４０の外面領域にら旋状に取り巻くように配置された投薬量数値により形成される。一例としての実施の形態において、選ぶことのできる投薬量単位に相応する番号が投薬量数値を形成する。投薬量インジケータスリーブ４０は、投薬スリーブ７に接続され、また、該スリーブが軸方向に且つ直線状に変移可能であるが、長手方向軸線Ｌに対して回転しないよう、固定されている。この目的のため、投薬量インジケータスリーブ４０の後端は、投薬スリーブ７の内面領域における相応する案内溝７ｂ（図９）内に突出し且つ該案内溝内で軸方向に及び直線状に案内される複数の半径方向に突き出す案内カム４３を備えている。この係合状態のため、投薬量インジケータスリーブ４０は、投薬スリーブ７が回転したとき、長手方向軸線Ｌの周りでも回転する。機構ホルダ５と螺着係合しているため、投薬スリーブ７を回すことで投薬量が選ばれたとき、投薬量インジケータスリーブ４０は、機構ホルダ５に対し、従ってケーシング後側部分２に対しても前進方向Ｖと反対方向に後方にねじ止めされる。
【００４２】
内ねじ４２及び投薬量目盛り４１を形成する投薬量インジケータスリーブ４０の部分は、ケーシング後側部分２と機構ホルダ５との間に残る環状空隙内に突出する。投薬量目盛り４１に対向する半径方向外側部分にて、ケーシング後側部分２は、投薬量目盛り４１を読み取ることのできる窓部３を備えている。内ねじ４２のピッチは、ら旋状の投薬量目盛り４１のピッチに相応する。
【００４３】
その形態のため、以下の説明にて閉止リングと称する上述した閉止部材４５が、機構ホルダ５を越えて後方に突出する投薬量インジケータスリーブ４０の長手方向部分から半径方向内方に配置されている。閉止リング４５は、閉止リングホルダ４７のスリーブ部分内に取り付けられ、回転しないよう固定され且つ、軸方向に変移しないよう固定されている。閉止リングホルダ４７は、機構ホルダ５の案内領域５４を介して、及び機構ホルダ５の係止カム５５と閉止リングホルダ４７のキャビティ４８（図８）の間に形成された係止接続部を介して機構ホルダ５に対し締結され、回転及び変移しないよう固定される。
【００４４】
閉止リング４５は、閉止リング４５の外面領域から投薬量インジケータスリーブ４０に向けて半径方向に突出する対向再設定カム４６形成する。再設定カム４４は、投薬量インジケータスリーブ４０（図１０）の対面する内面領域から半径方向内方に突き出している。再設定カム４４は、投薬量目盛り４１に対して斜め回転位置に形成されており、該カムは対向再設定カム４６に対し半径方向に整合し、また、投薬量インジケータスリーブ４０がケーシング後側部分２に対して零投薬量位置となったとき、カム４６に対し半径方向に正確に押されて、この零投薬量位置において、零投薬量に相応する投薬量の数値が窓部３に表示される。投薬量インジケータスリーブ４０が零投薬量に相応しない、機構ホルダ５及びケーシング後側部分２に対する位置となったならば、次に、対向再設定カム４６は再設定カム４４から自由になる、すなわち、対向再設定カム４６と投薬量インジケータスリーブ４０の対面する内面領域との間に僅かな半径方向距離が残る。
【００４５】
閉止リング４５は、長手方向軸線Ｌに対して半径方向に閉止リングホルダ４７に対し直線状に動くことができる。長手方向軸線Ｌに対し対向再設定カム４６と直径上に対向して、ばね要素４９が閉止リング４５と閉止リングホルダ４７との間に配置されており且つ、閉止リング４５を投薬及び作動ボタン８の外表面領域に押す。ばね要素４９は圧力ばねとして機能する。
【００４６】
各々、装置を異なる状態で示す図１ないし図３の各々に基づいて以下に装置の機能に関し説明する。その他の図面を常に更に参照して説明する。
図１において、装置は、リザーバＲが製品にて完全に充填され、投薬量を選ぶことができる状態である、当初の状態にある。投薬量インジケータスリーブ４０は、零投薬量に相応するその位置にある、すなわち、零投薬量に相応する投薬量の数値を窓部３を通じて読み取ることができる。投薬及び作動手段７／８／１０は、ピストンロッド４と共に、投薬量が選ばれる位置たる、その最後方位置となる。この投薬量選択位置において、ピストンロッド４とピストンＫとの間に僅かな軸方向距離Ｈ1が残る。等しい長さの僅かな軸方向距離Ｈ2が互いに軸方向に面する２つのストッパ領域の間に残り、その領域の一方はピストンロッドホルダ６により形成され、他方の領域は移送要素１０により形成され且つ、移送要素１０及びピストンロッド４に対する前端位置を画成する。この１対のストッパ領域の間の僅かな軸方向距離Ｈ2は、ピストンロッド４の最大行程距離である。投薬量を選ぶことは、ピストンＫとピストンロッド４との間の僅かな軸方向距離Ｈ1を短くすることになる。供給動作の範囲内にて、ピストンロッド４が常に等しい長さの行程距離Ｈ2だけ前進方向Ｖに向けてその前端位置まで動くならば、投薬量を選びつつ、ピストンロッド４とピストンＫとの間の僅かな距離Ｈ1の短縮する程度は、供給される製品の投薬量に相応する。
【００４７】
割型投薬部材１１／１２は、投薬及び作動手段７／８／１０を介して投薬量インジケータスリーブ４０に結合されており、投薬量インジケータスリーブ４０がその零投薬量位置となるとき、ピストンＫとピストンロッド４との間の軸方向距離Ｈ1が最大、すなわちＨ1＝Ｈ2となるようにする。
【００４８】
投薬量を選ぶためには、投薬スリーブ７をケーシング後側部分２に対して長手方向軸線Ｌの周りで回転させ、ここで、投薬及び作動ボタン８は、該ボタンが投薬スリーブ７に対して係合し、回転しないよう固定されているため、回転する。回転しないよう固定されたこれらの接続部のため、移送要素１０、及びこのため、割型投薬部材１１／１２も必然的に共に回転する。ピストンロッド４はピストンロッドホルダ６により軸方向に且つ、直線状に案内されるから、割型投薬部材１１／１２の回転動作により、螺着係合を介して前進方向に向けたピストンロッド４の投薬動作が生じる。このことは、製品の選んだ投薬量に相応する長さだけピストンロッド４とピストンＫとの間の僅かな距離Ｈ1が短縮することになる。このことは、僅かな距離Ｈ2は変化させない。
【００４９】
回転しないように固定されたその係合状態のため、投薬量インジケータスリーブ４０には、回転投薬動作の間、投薬スリーブ７が従動し且つ、該スリーブは、機構ホルダ５に対し長手方向軸線Ｌの周りで回転する。機構ホルダ５と投薬量インジケータスリーブ４０との間の螺着係合のため、前進方向Ｖと反対方向への軸方向動きは、投薬量インジケータスリーブ４０の回転動作と重複する。単に付随的に、投薬量インジケータスリーブ４０及び機構ホルダ５の係合したねじ部４２、５３のピッチは、ピストンロッド４及び割型投薬部材１１／１２の係合したねじ部のピッチよりも大きいことを述べることができる。これに相応して、投薬量インジケータ４０が１回転毎に移動する軸方向距離は、割型投薬部材１１／１２が１回転する毎に、ピストンロッド４が動く軸方向距離よりも長い。このことは、投薬目盛り４１の可読性の点にて有益である。投薬量インジケータスリーブ４０が機構ホルダ５に対して動き、少なくとも１投薬量単位だけその零投薬量位置から外れたならば直ちに、閉止リング４５が再設定カム４４から自由となる。窓部３を通じて投薬量目盛り４１にて読み取ることのできる投薬量の数値は、投薬動作によって距離Ｈ1が短縮する軸方向長さに相応する。
【００５０】
選んだ製品の投薬量をリザーバＲの出口Ａから供給するためには、投薬及び作動ボタン８を前進方向Ｖに向けてケーシング後側部分２内に押す、すなわち、作動させる。このため、前進方向Ｖは、同時に、投薬及び作動ボタン８の作動方向でもある。投薬及び作動ボタン８を作用させることは、投薬及び作動ボタン８に接続され且つ、軸方向に変移しないよう固定された構成要素、すなわち移送要素１０、割型投薬部材１１／１２を、また、螺着係合のため、ピストンロッド４を行程長さＨ2だけ前進方向Ｖに向けて動かすことになる。この行程動作する間、ピストンＫは、投薬量を選ぶことにより行程距離Ｈ2と比較してピストンロッド４とピストンＫとの間の僅かな距離Ｈ1が短くなる長さに相応する移動距離だけ、前進方向Ｖに向けて前進する。
【００５１】
図２には、投薬を反復した後、装置の助けを受けてリザーバＲから供給することのできる製品の最大量が供給される状態、すなわちリザーバＲが空となっている最終の状態が示されている。投薬及び作動ボタン８は、行程長さＨ2だけケーシング後側部分２内に押し込まれている。投薬及び作動ボタン８のこの軸方向位置において、その溝９は、閉止リング４５の下方にて半径方向に整合している。溝９は、閉止リング４５よりも半径方向に僅かに幅が広く、投薬及び作動ボタン８がばね撓み動作したとき、閉止リング４５を収納する。投薬及び作動ボタン８を作動させるために必要とされる、ユーザからの圧力は、移送要素１０の及びピストンロッド４の前端位置において、投薬及び作動ボタン８を僅かにそれ自体の内部にばね撓み動作させ、このことは、好ましいことであると見なされる。閉止リング４５は、ばね要素４９により投薬及び作動ボタン８の外面領域に対して緊張状態とされているため、閉止リング４５は、溝９内に半径方向に挿入されており、このため、そのとき、該溝にアクセス可能となる。閉止リング４５と比べて溝９の幅が広いことは、投薬及び作動ボタン８の軸方向へのばね撓み動作と組み合さって、閉止リング４５が溝９内に挿入され、また、投薬及び作動手段７／８／１０が閉止されるときの確実さを向上させることになる。閉止リング４５は、投薬及び作動ボタン８のばね撓み動作に対する軸方向ストッパを形成する。ばね要素４９と直径上で対向するように閉止リング４５を挿入すると、その対向再設定カム４６は投薬量インジケータスリーブ４０の内面に向けて半径方向に動く。閉止リング４５は機構ホルダ５に接続されて、該リングが閉止リングホルダ４７内に動かないようにされているから、投薬及び作動ボタン８、従って、ピストンロッド４は、共に、前進方向Ｖの反対方向に再度動いて戻ることができない、すなわち、閉止リング４５及び投薬及び作動ボタン８は閉止係合状態にある。このため、投薬及び作動手段７／８／１０の最前方位置において、溝９内に着座した閉止係合する閉止リング４５は、投薬及び作動手段７／８／１０、割型投薬部材１１／１２及びピストンロッド４に対する軸方向閉止部を形成する。この最終状態にあるとき、戻しばね３６は、軸方向に圧力緊張状態とされている。戻しばね３６は、閉止リング４５により形成された軸方向閉止部により緩むのが阻止される。この軸方向閉止部により、投薬量インジケータスリーブ４０の画成された位置からのみ製品を新たに選ぶことができることを保証する。この画成された位置は、一例としての実施の形態におけるように、零投薬量位置、すなわち、窓部３を通じて投薬量目盛り４１上の零投薬量を読み取ることができる位置であることが好ましい。
【００５２】
空になったリザーバＲを新しいリザーバＲと交換するため、２つのケーシング部分１、２を別個にねじ込む。このねじ込み手順に起因して、ケーシング部分１、２は、互いに軸方向に動く。ケーシング１／２の長さを長くする、ケーシング部分１、２が動く間、緊張状態とされたリザーバ保持ばね３７は、リザーバホルダ３０がケーシング後側部分２により形成されたストッパに当接する迄、該リザーバホルダを前進方向Ｖに向けてピストンロッドホルダ６に対して押す。ねじ込み動作が開始する前、リザーバホルダ３０の前端とケーシング後側部分２により形成されたストッパとの間に僅かな距離が軸方向に残り、リザーバホルダ３０がピストンロッドホルダ６に対し軸方向に動くことを可能にする。
【００５３】
リザーバホルダ３０がピストンロッドホルダ６に対し軸方向に動くとき、該ホルダは、従動手段２５及び摺動スリーブ２０を従動させる。摺動スリーブ２０の軸方向への動きに起因して、２つの摺動片１５、１６は、摺動スリーブ２０の斜めの案内レール２１、２２上にて半径方向外方に動く。このようにしてこれらの摺動スリーブが半径方向外方に動くとき、摺動片１５、１６は、機構ホルダ５及びピストンロッドホルダ６により直線状に案内される。摺動片１５の支え材１７は、第一の投薬部材１１の後方を把持し、摺動片１６の支え材１７は、第二の投薬部材１２の後方を把持するから、第一の投薬部材１１及び第二の投薬部材１２は、同一方向に向けて半径方向に別個に動き、このため、ピストンロッド４との螺着係合から解放されるように動く。ピストンロッド４と投薬部材１１、１２との間の係合状態を解放するため、ケーシング後側部分２がケーシング前側部分１に対して行う軸方向への動きは、係合解放動作と称することができる。この係合解放動作により、投薬部材１１、１２の各々は、ピストンロッド４から後退した位置まで動く。ケーシング後側部分２がケーシング前側部分１に対して逆方向である、軸方向への動きを行う反対方向への係合動作のとき、投薬部材１１、１２は、摺動スリーブ２０及び摺動片１５、１６により形成されたカム歯車により、動いて、ピストンロッド４と係合する状態に戻る。ケーシング部分１、２が共に完全にねじ込んだから状態から開始して、係合解放動作及び係合動作は、ねじ込み動作の第一の部分にて行われる。このねじ込み動作の第一の部分は、リザーバ保持ばね３７がリザーバホルダ３０をケーシング後側部分２により形成されたストッパに対して押し付けたとき、完了する。
【００５４】
図３には、割型投薬部材１１／１２とピストンロッド４との間の螺着係合が解放され、このため、ピストンロッド４をピストンロッドホルダ６に対して軸方向に自由に変移させることのできる状態にある装置が示されている。ケーシング後側部分２は、その係合解放動作を丁度、完了している。図示した状態のとき、ピストンロッド４は、既に、その最後方位置に再設定されている。このため、ピストンロッド４は、ピストンロッドホルダ６により案内されて、例えば、装置の全体を軽く傾けることにより、図示した最終位置まで摺動して戻ることができる。投薬ボタン８の後端にて、ゴムストッパが前進方向Ｖに向けて内方に突き出し且つ、ピストンロッド４の摺動動作を穏やかに減衰させる。
【００５５】
ケーシング部分１、２が更に別個にねじ込まれるとき、投薬部材１１、１２、摺動片１５、１６、摺動スリーブ２０及びリザーバホルダ３０がケーシング後側部分２に対してとっていた位置は、最早、変化しない。このことは、リザーバホルダ３０がケーシング後側部分２と当接することにより保証される。２つのケーシング部分１、２は完全に別個にねじ込み、使用済みのリザーバＲを新たなリザーバと交換することができる。新たなリザーバＲがケーシング前側部分１内に挿入されたならば、２つのケーシング部分１、２を共にねじ込んで戻す。ねじ込み動作の最終部分にて、ケーシング後側部分２は、ケーシング前側部分１に対するその係合動作を行い、ここで、リザーバホルダ３０は、リザーバＲ又はリザーバホルダと接触し且つ、リザーバ保持ばね３７のばね力に抗してピストンロッドホルダ６に向けてリザーバホルダにより軸方向に押される。リザーバホルダが軸方向に動くと、リザーバホルダ３０は、従動手段２５を介して摺動スリーブ２０を前進方向Ｖと反対方向に向けて押して戻す。このことは、投薬部材１１、１２とピストンロッド４との間の同時的な係合状態が再確立される迄、摺動片１５、１６をこれら摺動片と摺動スリーブ２０との案内係合状態を介して半径方向内方に動かすことになる。
【００５６】
上記において、完全に使い切ったリザーバＲの場合に、ピストンロッド４を再設定することに関してのみ説明したが、本発明に従って、ピストンロッド４が割型投薬部材１１、１２による回転投薬動作により、図１に示したその最後方位置から出る位置である、ピストンロッド４の任意のその他の軸方向位置から、ピストンロッド４を再設定することも可能であることを理解すべきである。
【００５７】
図２及び図３に示すように、投薬及び作動ボタン８をその最前方位置までケーシング後側部分２内に押し込んだとき、投薬スリーブ７と投薬及び作動ボタン８との間の回転を阻止する閉止部は、最早、存在しない、すなわち、投薬スリーブ７は、投薬及び作動ボタン８及びケーシング後側部分２に対し長手方向軸線Ｌの周りにて自由に回転することができる。しかし、依然として、投薬スリーブ７と投薬量インジケータスリーブ４０との間の回転を阻止する閉止部は存在する。投薬及び作動ボタン８、従って投薬及び作動手段７／８／１０及び割型投薬部材１１／１２を共に投薬量選択位置に戻すため、投薬スリーブ７を長手方向軸線Ｌの周りにて回転可能な方向に回転させ、このことは、投薬量インジケータスリーブ４０を零投薬量位置に戻るよう案内することになる。回転動作する間、投薬量インジケータスリーブ４０は機構ホルダ５に対して回転する。機構ホルダ５との螺着係合の結果、投薬量インジケータスリーブ４０は、その零投薬量位置に向けた機構ホルダ５及びケーシング後側部分２に対する平行移動及び回転動作を完了する。設定可能な単一の投薬量単位に相応する長さである、零投薬量位置に到達する前の最終的な動作部分において、投薬量インジケータスリーブ４０の再設定カム４４は、閉止リング４５の対向再設定カム４６と半径方向に重ね合わさる。再設定カム４４は、投薬量インジケータスリーブ４０が回転して戻る間、対向再設定カム４６に押し付けられる側部にて周方向にテーパーが付けられている。テーパーを付けることは、２つのカム４４、４６が互いの上を漸進的に且つ穏やかに摺動することを可能にする。そのテーパーを付けた領域内で漸進的に半径方向内方に長くなる再設定カム４４は、ばね要素４９の復帰力に抗して閉止リング４５を溝９から半径方向に動かす。このように、軸方向閉止部は解放され、戻るばね３６は、ピストンロッド４と共に投薬及び作動手段７／８／１０を図１に示した当初位置に押して戻す。
【００５８】
順序は次の通りである：投薬量を選び、投薬及び作動手段７／８／１０を作動させることにより選んだ投薬量を供給し、カム４６を介して閉止リング４５を軸方向に閉止し、投薬量インジケータスリーブ４０を零投薬量位置に回転して戻し、これにより、リザーバＲが空になる迄、軸方向閉止部を解放し且つ、投薬及び作動手段７／８／１０を当初位置に反発動作して戻す手順を反復することができる。協働するカム４６及び再設定カム４４は、そこから投薬量を新たに選ぶことができる当初位置へ戻る投薬及び作動手段７／８／１０の動作を投薬量インジケータスリーブ４０の零投薬位置に結合する。この結合は、一方にて、投薬量インジケータスリーブ４０がその零投薬量位置となるときにのみ投薬及び作動手段７／８／１０の動作が可能であり、他方にて、投薬及び作動手段７／８／１０の再設定動作を励起させるために手動操作が全く不要であるような形態とされることが好ましい。
【００５９】
一例としての実施の形態による製品の供給装置は、気道を介してインシュリンを投与するときに使用する吸入器用として提供される。該装置は、製品を噴霧チャンバ内に投薬し且つ供給する作用を果たす。このようにして、噴霧チャンバ内にて投薬量毎に提供された製品は、噴霧手段により噴霧され且つ、好ましくは、経口的に気道を介してチャンバ出口から投薬される。ケーシング前側部分１の前端には、ねじとして形成されたコネクタＧが設けられて、装置を螺着係合により噴霧チャンバに接続し得るようにされている。
【００６０】
装置はまた、好ましくは３０Ｇ又はより細い、例えば、３１Ｇのような一体型の注射針を備える針ホルダをケーシング前側部分１の前端にねじ込むことにより、注射装置として容易に直接使用することもできる。該装置は、また、圧力注射器として提供することもでき、この場合、装置は。圧力注射器の排出手段に接続される。該装置は、選んだ製品投薬量を排出手段に供給し、排出手段が該製品投薬量を注射ノズルを通じて高圧にて排出するようにされよう。
【図面の簡単な説明】
【００６１】
【図１】投薬量が最初に選ばれる前の、当初状態における製品の供給装置の図である。
【図２】装置のピストンロッドが最前方位置にあり且つ、投薬部材と係合している、最終状態にある製品の供給装置の図である。
【図３】ピストンロッド及び投薬部材が非係合状態にあり、ピストンロッドが最後方の当初位置に再設定された状態にある製品の投薬装置の図である。
【図４】図２の線Ａ−Ａに沿った断面図である。
【図５】図３の線Ｂ−Ｂに沿った断面図である。
【図６】ピストンロッド及び投薬部材が係合している、ピストンロッド、投薬部材及びカム歯車の歯車部材の三次元的断面図である。
【図７】ピストンロッド及び投薬部材が非係合状態にある、ピストンロッド、投薬部材及び歯車部材の三次元的断面図である。
【図８】装置の構成要素を示す三次元的図である。
【図９】投薬量インジケータスリーブ及び投薬量インジケータスリーブと協働する構成要素の三次元的図である。
【図１０】投薬量インジケータスリーブを示す多数の図である。
【符号の説明】
【００６２】
１    第一のケーシング部分
２    再設定及び作動要素、第二のケーシング部分
３    窓部
４    ピストンロッド
５    機構ホルダ
６    ピストンロッドホルダ
７    投薬スリーブ
８    投薬及び作動ボタン
８ａ    作動部分
８ｂ    締結部分
８ｃ    端部ボタン
８ｄ    ばね
９    キャビティ、溝
１０    移送要素
１０ａ    横方向案内レール
１０ｂ    横方向案内レール
１１    第一の投薬部材
１２    第二の投薬部材
１３    係合レール
１５    歯車出力部材、摺動片
１６    歯車出力部材、摺動片
１７    支え材、案内レール
１８    係合レール
２０    歯車入力部材、摺動スリーブ
２１    案内レール
２２    案内レール
２３    舌状体
２４    従動カム
２５    従動手段
２６    カラー
２７    舌状体
２８    キャビティ
３０    リザーバホルダ
３１    カラー
３２    シュー
３３    側方向案内部
３４    カム
３６    戻しばね
３７    ばね要素、リザーバ保持ばね
３８    公差平衡化ばね
４０    投薬インジケータスリーブ
４１    投薬目盛り
４２    ねじ
４３    回転を阻止する閉止部、カム
４４    再設定カム
４５    閉止部材、閉止リング
４６    対向再設定カム
４７    閉止リングホルダ
４８    キャビティ
４９    ばね要素
５１    キャビティ
５２    キャビティ
５３    ねじ
５４    回転を阻止する閉止領域
５５    カム
５６    ストッパ
５８    カラー
６１    カラー
６２    突出部
６３    舌状体
６４    カム
Ａ    出口
Ｇ    コネクタ
Ｈ1    ピストンとピストンロッドとの間の距離
Ｈ2    行程距離
Ｋ    ピストン
Ｌ    長手方向軸
Ｒ    リザーバ
Ｖ    前進方向、作動方向
【図１】
2005531348.tif 000003
【図２】
2005531348.tif 000004
【図３】
2005531348.tif 000005
2005531348.tif 000006
【図６】
2005531348.tif 000007
【図７】
2005531348.tif 000008
【図８】
2005531348.tif 000009
【図９】
2005531348.tif 000010
【図１０】
2005531348.tif 000011
【国際調査報告】
2005531348.tif 000012
2005531348.tif 000013
2005531348.tif 000014
2005531348.tif 000015
2005531348.tif 000016
2005531348.tif 000017
2005531348.tif 000018
2005531348.tif 000019
2005531348.tif 000020
2005531348.tif 000021